(57)【要約】【課題】本発明は、銀行券、株券、有価証券、通行券、カード等の偽造、変造を防止する必要性のある貴重印刷物に適用される、肉眼での真偽判別効果及び機械での読み取り効果を備える真偽判別可能な印刷物及びその真偽判別方法に関するものである。【解決手段】基材上に、第１の画像部（９）と第２の画像部（１０）からなる合成画像（８）を形成すべく、前記第１の画像部（９）は光学的変化顔料と、赤外反射特性又は赤外透過特性を持つ着色顔料を含有したインキで印刷し、前記第２の画像部（１０）は前記第１の画像部（９）を印刷するインキに含有する光学的変化顔料と同一の光学的変化顔料と、赤外吸収特性を持つ着色顔料を含有したインキで印刷し、前記第１の画像部（９）と前記第２の画像部（１０）の色彩が同一になるように色合せしてなる真偽判別可能な印刷物である。【選択図】      図１０
2004188808.tif 000002
【特許請求の範囲】
【請求項１】
基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と同一の光学的変化顔料と、赤外吸収特性を持つ着色顔料を含有したインキで印刷し、前記第１の画像部と前記第２の画像部の色彩が同一になるように色合せしてなる真偽判別可能な印刷物。
【請求項２】
基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と異なる光学的変化顔料と、赤外吸収特性を持つ着色顔料を含有したインキで印刷し、前記第１の画像部と前記第２の画像部の色彩が同一になるように色合せしてなる真偽判別可能な印刷物。
【請求項３】
前記光学的変化顔料と、赤外反射特性又は赤外透過特性を持つ着色を含有したインキ、前記光学的変化顔料と、赤外吸収特性を持つ着色顔料を含有したインキが凹版インキ、グラビアインキ、オフセットインキ又はスクリーンインキであることを特徴とする請求項１又は２記載の真偽判別可能な印刷物。
【請求項４】
前記光学的変化顔料が、パール顔料、コレステリック液晶顔料又はガラスフレーク顔料であることを特徴とする請求項１、２又は３記載の真偽判別可能な印刷物。
【請求項５】
前記第１の画像部及び前記第２の画像部が、点画、線画及びベタ塗りの少なくとも一つで構成されることを特徴とする請求項１、２、３又は４記載の真偽判別可能な印刷物。
【請求項６】
前記光学的変化顔料と、赤外反射特性又は赤外透過特性を持つ着色顔料を含有したインキ、前記光学的変化顔料と、赤外吸収特性を持つ着色顔料を含有したインキがＵＶ硬化型インキ、電子線硬化型インキ、溶剤型インキ、油性型インキ又は水性型インキで印刷することを特徴とする請求項１、２、３、４又は５記載の真偽判別可能な印刷物。
【請求項７】
前記第1の画像部又は前記第２の画像部が文字、数字、記号、図柄及び絵柄の少なくとも一つであることを特徴とする請求項１、２、３、４、５又は６記載の真偽判別可能な印刷物。
【請求項８】
基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と同一の光学的変化顔料と、赤外吸収特性を持つ着色顔料を含有したインキで印刷し、前記第１の画像部と前記第２の画像部の色彩が同一になるように色合せしてなる真偽判別可能な印刷物の真偽判別方法であって、
前記印刷物を垂直方向から観察した場合に前記第１の画像部と前記第２の画像部を肉眼で区分けして識別することができないが、前記印刷物を垂直方向から水平方向に傾けて観察した場合に前記合成画像の色調が変化することを肉眼で観察して真偽判別し、さらに、赤外領域を測定する器具により、前記第１の画像部と前記第２の画像部が区分けして識別され、真偽判別することを特徴とする真偽判別可能な印刷物の真偽判別方法。
【請求項９】
基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と異なる光学的変化顔料と、赤外吸収特性を持つ着色顔料を含有したインキで印刷し、前記第１の画像部と前記第２の画像部の色彩が同一になるように色合せしてなる真偽判別可能な印刷物の真偽判別方法であって、
前記印刷物を垂直方向から観察した場合に前記第１の画像部と前記第２の画像部を肉眼で区分けして識別することができないが、前記印刷物を垂直方向から水平方向に傾けて観察した場合に前記第１の画像部と前記第２の画像部との色調が異なって変化し、メッセージ画像として肉眼で観察して真偽判別し、さらに、赤外領域を測定する器具により、前記第１の画像部と前記第２の画像部が区分けして識別され、真偽判別することを特徴とする真偽判別可能な印刷物の真偽判別方法。
【発明の詳細な説明】
【０００１】
【発明の属する技術分野】
本発明は、銀行券、株券、有価証券、通行券、カード等の偽造、変造を防止する必要性のある貴重印刷物に適用される、肉眼での真偽判別効果及び機械での読み取り効果を備える真偽判別可能な印刷物及びその真偽判別方法に関するものである。
【０００２】
【従来の技術】
従来、銀行券、株券、有価証券、通行券、カード等の偽造、変造を防止する必要性のある貴重印刷物において、光学的変化顔料の色彩が変化する効果を向上させるために、少量の着色顔料をインキ中に添加する手段は、すでに公知である（例えば、特許文献１参照）。また、赤外吸収特性を持つ物質をインキ中に分散させ、機械的に読み取りが可能な印刷物を作製する方法は、すでに公知である（例えば、特許文献２参照）。
【０００３】
【特許文献１】
特開２０００−３４５０９６号公開（第２頁）
【特許文献２】
特開平６−２４７０８７公開（第２−５頁）
【０００４】
例えば、基材の色に影響を受ける光学的変化顔料を含有するインキに、少量の着色顔料を含有させ、光学的変化顔料の色彩が変化する効果を着色顔料によって向上させる事例があるが、その効果は肉眼のみで観察し、機械による読み取りが不可能であった。
【０００５】
例えば、インキ中に機能性を持つ顔料を分散させ、機械的に読み取りが可能な印刷物を作製する事例があるが、光学的変化顔料及び機能性を持つ顔料を含有したインキを用いて、機械による読み取りの他に、肉眼でも光学的変化顔料の色彩が変化することによる真偽判別可能な印刷物は作製されていなかった。
【０００６】
【発明が解決しようとする課題】
従来、光学的変化顔料の効果を向上させるため、光学的変化顔料に少量の着色顔料を添加したインキで印刷物を印刷し、光学的変化顔料の観察角度によって色彩が変化する効果を向上させ、その色彩の変化を肉眼で観察することはできた。しかしながら、光学的変化顔料に少量の着色顔料を添加したインキで印刷した印刷物は、光学的変化顔料に少量の着色顔料を添加しないインキで印刷した印刷物と比べた場合に垂直方向から観察した場合に色彩が異なるため、これら二種類のインキを使用し、印刷したものを垂直方向から観察した場合にメッセージ画像が確認できないが、観察角度を水平方向に傾けた場合にメッセージ画像が確認できる印刷物の作製を試みても、垂直方向から観察した場合に、既にメッセージ画像が確認されてしまう問題があった。また、光学的変化を利用した肉眼での真偽判別及び機械での真偽判別の両方を備える印刷物を作製することは困難であった。
【０００７】
よって、本発明は基材上に、第１の画像部と第２の画像部からなる合成画像を形成すべく、第１の画像部は光学的変化顔料と、赤外反射特性又は赤外透過特性を持つ着色顔料を含有したインキで印刷し、第２の画像部は第１の画像部を印刷するインキに含有する光学的変化顔料と同一の光学的変化顔料と、赤外吸収特性を持つ着色顔料を含有したインキで印刷し、第１の画像部と第２の画像部の色彩が同一になるように色合せしてなる真偽判別可能な印刷物であって、印刷物を垂直方向から観察した場合に第１の画像部と第２の画像部を肉眼で区分けして識別することができないが、印刷物を垂直方向から水平方向に傾けて観察した場合に合成画像の色調が変化することを肉眼で観察することができ、さらに、赤外領域を測定する器具により、第１の画像部と第２の画像部が区分けして識別できる、光学的変化を利用した肉眼での真偽判別及び機械での真偽判別の両方を備える真偽判別可能な印刷物及びその真偽判別方法を提案することを目的とする。
【０００８】
また、本発明は、基材上に、第１の画像部と第２の画像部からなる合成画像を形成すべく、第１の画像部は光学的変化顔料と、赤外反射特性又は赤外透過特性を持つ着色顔料を含有したインキで印刷し、第２の画像部は第１の画像部を印刷するインキに含有する光学的変化顔料と異なる光学的変化顔料と、赤外吸収特性を持つ着色顔料を含有したインキで印刷し、第１の画像部と第２の画像部の色彩が同一になるように色合せしてなる真偽判別可能な印刷物であって、印刷物を垂直方向から観察した場合に第１の画像部と第２の画像部を肉眼で区分けして識別することができないが、印刷物を垂直方向から水平方向に傾けて観察した場合に第１の画像部と第２の画像部との色調が異なって変化し、メッセージ画像として肉眼で観察することができ、さらに、赤外領域を測定する器具により、第１の画像部と第２の画像部が区分けして識別できる、光学的変化を利用した肉眼での真偽判別及び機械での真偽判別の両方を備える真偽判別可能な印刷物及びその真偽判別方法を提案することを目的とする。
【０００９】
【課題を解決するための手段】
本発明は、基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と同一の光学的変化顔料と、赤外吸収特性を持つ着色顔料を含有したインキで印刷し、前記第１の画像部と前記第２の画像部の色彩が同一になるように色合せしてなる真偽判別可能な印刷物であって、前記印刷物を垂直方向から観察した場合に前記第１の画像部と前記第２の画像部を肉眼で区分けして識別することができないが、前記印刷物を垂直方向から水平方向に傾けて観察した場合に前記合成画像の色調が変化することを肉眼で観察することができ、さらに、赤外領域を測定する器具により、前記第１の画像部と前記第２の画像部が区分けして識別できることを特徴とする真偽判別可能な印刷物である。
【００１０】
また、本発明は、基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と異なる光学的変化顔料と、赤外吸収特性を持つ着色顔料を含有したインキで印刷し、前記第１の画像部と前記第２の画像部の色彩が同一になるように色合せしてなる真偽判別可能な印刷物であって、前記印刷物を垂直方向から観察した場合に前記第１の画像部と前記第２の画像部を肉眼で区分けして識別することができないが、前記印刷物を垂直方向から水平方向に傾けて観察した場合に前記第１の画像部と前記第２の画像部との色調が異なって変化し、メッセージ画像として肉眼で観察することができ、さらに、赤外領域を測定する器具により、前記第１の画像部と前記第２の画像部が区分けして識別できることを特徴とする真偽判別可能な印刷物である。
【００１１】
また、本発明は、前記光学的変化顔料と、赤外反射特性又は赤外透過特性を持つ着色を含有したインキ、前記光学的変化顔料と、赤外吸収特性を持つ着色顔料を含有したインキが凹版インキ、グラビアインキ、オフセットインキ又はスクリーンインキであることを特徴とする真偽判別可能な印刷物である。
【００１２】
また、本発明は、前記光学的変化顔料が、パール顔料、コレステリック液晶顔料又はガラスフレーク顔料であることを特徴とする真偽判別可能な印刷物である。
【００１３】
また、本発明は、前記第１の画像部及び前記第２の画像部が、点画、線画及びベタ塗りの少なくとも一つで構成されることを特徴とする真偽判別可能な印刷物である。
【００１４】
また、本発明は、前記光学的変化顔料と、赤外反射特性又は赤外透過特性を持つ着色顔料を含有したインキ、前記光学的変化顔料と、赤外吸収特性を持つ着色顔料を含有したインキがＵＶ硬化型インキ、電子線硬化型インキ、溶剤型インキ、油性型インキ又は水性型インキで印刷することを特徴とする真偽判別可能な印刷物である。
【００１５】
また、本発明は、前記第1の画像部又は前記第２の画像部が文字、数字、記号、図柄及び絵柄の少なくとも一つであることを特徴とする真偽判別可能な印刷物である。
【００１６】
また、本発明は、基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と同一の光学的変化顔料と、赤外吸収特性を持つ着色顔料を含有したインキで印刷し、前記第１の画像部と前記第２の画像部の色彩が同一になるように色合せしてなる真偽判別可能な印刷物の真偽判別方法であって、前記印刷物を垂直方向から観察した場合に前記第１の画像部と前記第２の画像部を肉眼で区分けして識別することができないが、前記印刷物を垂直方向から水平方向に傾けて観察した場合に前記合成画像の色調が変化することを肉眼で観察して真偽判別し、さらに、赤外領域を測定する器具により、前記第１の画像部と前記第２の画像部が区分けして識別され、真偽判別することを特徴とする真偽判別可能な印刷物の真偽判別方法である。
【００１７】
また、本発明は、基材上に、第１の画像部と第２の画像部からなる合成画像を形成すべく、前記第１の画像部は光学的変化顔料と、赤外反射特性又は赤外透過特性を持つ着色顔料を含有したインキで印刷し、前記第２の画像部は前記第１の画像部を印刷するインキに含有する光学的変化顔料と異なる光学的変化顔料と、赤外吸収特性を持つ着色顔料を含有したインキで印刷し、前記第１の画像部と前記第２の画像部の色彩が同一になるように色合せしてなる真偽判別可能な印刷物の真偽判別方法であって、前記印刷物を垂直方向から観察した場合に前記第１の画像部と前記第２の画像部を肉眼で区分けして識別することができないが、前記印刷物を垂直方向から水平方向に傾けて観察した場合に前記第１の画像部と前記第２の画像部との色調が異なって変化し、メッセージ画像として肉眼で観察して真偽判別し、さらに、赤外領域を測定する器具により、前記第１の画像部と前記第２の画像部が区分けして識別され、真偽判別することを特徴とする真偽判別可能な印刷物の真偽判別方法である。
【００１８】
【発明の実施の形態】
次に、本発明に係る真偽判別可能な印刷物及びその真偽判別方法の実施形態について説明する。
【００１９】
図１は基材（１）上に第１の画像部である点画（２）と、第２の画像部である点画（３）を示す拡大図である。点画（２）は、光学的変化顔料と、赤外反射特性又は赤外透過特性を持つ着色顔料を含有したインキで印刷し、点画（３）は、第１の画像部を印刷するインキに含有する光学的変化顔料と同一の光学的変化顔料と、赤外吸収特性を持つ着色顔料を含有したインキで印刷し、第１の画像部である点画（２）の光学的変化顔料と、赤外反射特性又は赤外透過特性を持つ着色顔料を含有したインキと、第２の画像部である点画（３）の光学的変化顔料と、赤外吸収特性を持つ着色顔料の色彩が同一になるように色合せする必要がある。この場合、第２の画像部である点画（３）に光学的変化顔料と、赤外反射特性又は赤外透過特性を持つ着色顔料を含有したインキで印刷し、第２の画像部である点画（３）を印刷するインキに含有する光学的変化顔料と同一の光学的変化顔料と、赤外吸収特性を持つ着色顔料を含有したインキで印刷しても良い。上記記載の第１の画像部である点画（２）と第２の画像部である点画（３）の色彩が同一になるような色合せとは、通常の印刷物と同様に垂直方向から観察した場合においての色合せである。
【００２０】
図１に示した第１の画像部である点画（２）と、第２の画像部である点画（３）を合成した合成画像を得る。これが、本発明の真偽判別可能な印刷物（５Ａ）となる。図２に真偽判別可能な印刷物（５Ａ）を垂直方向から観察した場合の図を示す。図２に示すように第１の画像部である点画（２）と、第２の画像部である点画（３）を区分けして識別することができない。これは、第１の画像部のインキに用いる赤外反射特性又は赤外透過特性を持つ着色顔料と第２の画像部のインキに用いる赤外吸収特性を持つ着色顔料の色彩が同一になるように色合を行っているためである。図３に真偽判別可能な印刷物（５Ａ）を垂直方向から水平方向に傾けて観察した場合の図を示す。図２に示した垂直方向から観察した場合と同様に第１の画像部である点画（２）と、第２の画像部である点画（３）を区分けして識別することができない。しかしながら、垂直方向から観察した場合とは異なる色彩で合成画像（４）を確認することができる。これは、第１の画像部と第２の画像部に同一の光学的変化顔料が配合されているため干渉光が視認され、第１の画像部と第２の画像部が共に同一の色彩の変化が確認できるためである。
【００２１】
図４に真偽判別可能な印刷物（５Ａ）を赤外領域を測定する器具により観察した場合の拡大図を示す。図４に示すように、真偽判別可能な印刷物（５Ａ）を赤外領域を測定する器具により観察すると、第２の画像部である点画（３）は赤外吸収特性を持つ着色顔料を使用し、第１の画像部である点画（２）は赤外反射特性又は赤外透過特性を持つ着色顔料を使用しているため、赤外領域を測定する器具から点画（２）からなる第１の画像部と第２の画像部が区分けして識別することができる。
【００２２】
図５は基材（１）上に第１の画像部である点画（２）と、第２の画像部である点画（３）を示す拡大図である。点画（２）は、光学的変化顔料と、赤外反射特性又は赤外透過特性を持つ着色顔料を含有したインキで印刷し、点画（３）は、第１の画像部を印刷するインキに含有する光学的変化顔料と異なる光学的変化顔料と、赤外吸収特性を持つ着色顔料を含有したインキで印刷し、第１の画像部である点画（２）の光学的変化顔料と、赤外反射特性又は赤外透過特性を持つ着色顔料を含有したインキと、第２の画像部である点画（３）の光学的変化顔料と、赤外吸収特性を持つ着色顔料の色彩が同一になるように色合せする必要がある。この場合、第２の画像部である点画（３）に光学的変化顔料と、赤外反射特性又は赤外透過特性を持つ着色顔料を含有したインキで印刷し、第２の画像部を印刷するインキに含有する光学的変化顔料と同一の光学的変化顔料と、赤外吸収特性を持つ着色顔料を含有したインキで印刷しても良い。上記記載の第１の画像部と第２の画像部の色彩が同一になるような色合せとは、通常の印刷物と同様に垂直方向から観察した場合においての色合せである。また、上記記載の異なる光学的変化顔料とは、干渉光によって色彩が異なる光学的変化顔料のことをいう。
【００２３】
図５に示した第１の画像部である点画（２）と、第２の画像部である点画（３）を合成した合成画像を得る。これが、本発明の真偽判別可能な印刷物（５Ｂ）となる。図６に真偽判別可能な印刷物（５Ｂ）を垂直方向から観察した場合の図を示す。図６に示すように第１の画像部である点画（２）と、第２の画像部である点画（３）を区分けして識別することができない。これは、第１の画像部のインキに用いる赤外反射特性又は赤外透過特性を持つ着色顔料と第２の画像部のインキに用いる赤外吸収特性を持つ着色顔料の色彩が同一になるように色合を行っているためである。図７に真偽判別可能な印刷物（５Ｂ）を垂直方向から水平方向に傾けて観察した場合の図を示す。図７に示すように真偽判別可能な印刷物（５Ｂ）を垂直方向から水平方向に傾けて観察した場合に、第１の画像部と第２の画像部に異なる光学的変化顔料が配合されているため干渉光が視認され、第１の画像部と第２の画像部とが異なる色彩の変化が確認できるため、メッセージ画像として確認できる。
【００２４】
図８に真偽判別可能な印刷物（５Ｂ）を赤外領域を測定する器具により観察した場合の拡大図を示す。図８に示すように、真偽判別可能な印刷物（５Ａ）を赤外領域を測定する器具により観察すると、第２の画像部である点画（３）は赤外吸収特性を持つ着色顔料を使用し、第１の画像部である点画（２）は赤外反射特性又は赤外透過特性を持つ着色顔料を使用しているため、赤外領域を測定する器具から点画（２）からなる第１の画像部と第２の画像部が区分けして識別することができる。
【００２５】
本発明に用いる赤外領域を測定する器具は、赤外領域を可視化する装置、赤外領域の波長を測定する装置等を用いて真偽判別することができる。これらの器具は安価な簡易的な器具で十分に真偽判別することができる。赤外反射特性又は赤外透過特性を持つ着色顔料、赤外吸収特性を持つ顔料の色彩は限定されるものではない。
【００２６】
また、本発明に用いる赤外吸収特性を持つ顔料を含有したインキは、７００〜１３００nmの波長を測定する器具で容易に機械読み取りによる真偽判定することできる。
【００２７】
光学的変化顔料のみを含有したインキで白色系の基材に印刷した印刷物を垂直方向から水平方向に傾けた場合、その印刷物の光学的変化顔料の持つ色彩が変化する効果はほとんど得られない、あるいはその効果はやや低下するため、本発明の効果を奏することができない。
【００２８】
よって、光学的変化顔料と赤外反射特性又は赤外透過特性を持つ着色顔料を含有するインキ、又は光学的変化顔料と赤外吸収特性を持つ着色顔料を含有するインキで印刷した場合、基材に印刷した印刷物を垂直方向から水平方向に傾けた場合、光学的変化顔料と赤外反射特性又は赤外透過特性を持つ着色顔料を含有したインキで印刷した領域、及び光学的変化顔料と赤外吸収特性を持つ着色顔料を含有するインキで印刷した領域の色彩が変化し、光学的変化顔料の持つ効果が十分に得られる。また、光学的変化顔料と赤外反射特性又は赤外透過特性を持つ着色顔料を含有するインキ、又は光学的変化顔料と赤外吸収特性を持つ着色顔料を含有するインキで白色系の基材に印刷する場合においても印刷物を垂直方向から水平方向に傾けた場合、光学的変化顔料と赤外反射特性又は赤外透過特性を持つ着色顔料を含有するインキで印刷した領域、光学的変化顔料と赤外吸収特性を持つ着色顔料を含有するインキで印刷した領域の色彩が変化し、光学的変化顔料の持つ効果が十分得られる。光学的変化顔料と赤外吸収特性を持つ着色顔料を含有するインキを使用しているので、光学的変化顔料の効果により、印刷物を垂直方向から水平方向に傾けると、色彩が変化し、且つ、赤外領域を測定する器具により観察すると、赤外吸収特性を持つ着色顔料を含有するインキで印刷した領域を確認することができる。よって、光学的変化を利用した肉眼での真偽判別及び機械での真偽判別の両方を備える真偽判別可能な印刷物が得られる。
【００２９】
本発明の第１の画像部及び第２の画像部は、図１及び図５では点画を用いているが、本発明は点画に限定されることなく、点画、線画及びベタ塗りの少なくとも一つで構成することができる。点画の形状の場合は、スクエアドット、ラウンドドット、チェーンドット、また、特殊マーク等の集合体を使用することができる。また、点画の線数においても特に限定されるものではない。図１１に上記記載の第１の画像部及び第２の画像部が、点画、線画、ベタ塗りの構成について説明する。図１１（ａ）は第１の画像部及び第２の画像部を点画（点）で表現し、図１１（ｂ）は第１の画像部及び第２の画像部を線画（線）で表現し、図１１（ｃ）は第１の画像部及び第２の画像部をベタ塗りで表現している。図１１（ａ）乃至図１１（ｃ）を単独で用いても組合せて用いても良い。
【００３０】
本発明の印刷に使用される光学的変化顔料は、パール顔料、アルミニウム顔料、金属粉顔料、コレステリック液晶顔料又はガラスフレーク顔料等の顔料を用いることができる。顔料の大きさは１〜１５０μｍのものを用いることができ、好ましくは５〜５０μｍで、平均粒径２０〜４０μｍ程度が好ましい。また、色の種類は限定しない。
【００３１】
本発明の印刷に使用されるインキは、ＵＶ硬化型インキ、電子線硬化型インキ、溶剤型インキ、紫外線硬化及び酸化重合機能を併せ持つインキ（特許２１１３８８０号参照）、２液混合型インキ、油性型インキ又は水性型インキを使用できるが、ＵＶ硬化型インキ、電子線硬化型インキで作製することが好ましい。例えば、ＵＶ硬化型インキを用いた場合、印刷機上又は印刷後に紫外線照射装置等の活性エネルギー線を用いてインキを硬化させる必要がある。
【００３２】
また、本発明の印刷に使用されるインキは、特に限定されるものではなく、凹版インキ、グラビアインキ、オフセットインキ、スクリーンインキ等を用いることができるが、スクリーンインキを用いることが好ましい。スクリーンインキ粘度は、２０ポイズ〜１００ポイズ程度で、好ましくは３０ポイズ〜６０ポイズ程度が好ましい。インキの着色顔料濃度が１０重量％以下、好ましくは、インキの着色顔料濃度が０、０１〜１重量％の範囲が好ましい。また、インキの光学的変化顔料の顔料濃度が５０重量％以下、好ましくはインキの光学的変化顔料の顔料濃度が５〜３０％の範囲が好ましい。また、印刷機の調整においては特別な調整は不要であり、一般的な設定で印刷することが可能である。
【００３３】
また、本発明の印刷に使用される光学的変化顔料と赤外反射特性又は赤外透過特性を持つ着色顔料を含有するインキ、及び光学的変化顔料と赤外吸収特性を持つ着色顔料を含有するインキに含まれる光学的変化顔料により、複写機及び画像入力装置等のように、光源と受光素子が同時に走査して印刷物等を読み取る装置等は、光学的変化顔料といった色彩が光源と基材との角度に依存する顔料を使用した印刷物の再現は不可能であるため、複写機及び画像入力装置等に対する偽造防止効果の向上を図ることができる。
【００３４】
また、本発明の印刷に使用される基材は紙葉類、プラスチックフィルム、金属、布等を用いることができる。
【００３５】
【実施例】
以下、実施例を用いて本発明を更に詳細に説明するが、本発明の内容は、これらの実施例の範囲に限定されるものではない。
【００３６】
（実施例１）
まず、第１の画像部及び第２の画像部を印刷するためのスクリーン印刷用インキをそれぞれ作製した。配合割合は、下記に示すとおりである。
2004188808.tif 000003
【００３７】
図９は本発明のスクリーン版面（６）（第１の画像部）、スクリーン版面（７）（第２の画像部）を作製した図である。得られた第１の画像部用、第２の画像部用の２つのスクリーン版面（６、７）、２つのスクリーンインキを用い、スクリーン印刷を行い、紫外線照射装置で硬化させ、実施例１の印刷物を得た。図１０は実施例１の印刷物（Ｃ１）を示す。実施例１の印刷物は第１の画像部（９）及び第２の画像部（１０）からなる合成画像（８）を有する。図１０では、第１の画像部（９）及び第２の画像部（１０）を理解しやすくするため、異なる色で点画を表示しているが、実際に垂直方向から肉眼で観察すると、第１の画像部（９）に使用するインキと第２の画像部（１０）に使用するインキの色彩が同じになるように調整しているため、同色な点画として認識される。合成画像（８）は、第１の画像部（９）及び第２の画像部（１０）とに区分され、第１の画像部（９）は光学的変化顔料と、赤外反射特性又は赤外透過特性を持つ着色顔料を含有したインキで印刷し、第２の画像部（１０）は光学的変化顔料と赤外吸収特性を持つ着色顔料を含有したインキで印刷した部分とに区分され、合成画像（８）を得ている。
【００３８】
この実施例１の印刷物（Ｃ１）を垂直方向から、すなわち印刷物に対して真上から印刷物を観察すると、第１の画像部（９）と第２の画像部（１０）を区分けして確認することができなかった。つまり、合成画像（８）のみが確認できた。また、実施例１の印刷物（Ｃ１）を垂直方向から水平方向に傾けて観察した場合に第１の画像部（９）と第２の画像部（１０）を区分けして確認することができなかったが、合成画像（８）の色彩が変化して確認できた。
【００３９】
実施例１の印刷物（Ｃ１）を赤外領域の光学特性を可視化する装置により観察すると、第１の画像部（９）と第２の画像部（１０）を区分けして識別することができた。
【００４０】
本発明の実施例１で使用した、光学的変化顔料と赤外吸収特性を持つ着色顔料を含有するインキと、光学的変化顔料と赤外反射特性又は赤外透過特性を持つ着色顔料を含有するインキの赤外領域での反射率は３０％程度の差があり、機械的に、光学的変化顔料と赤外吸収特性を持つ着色顔料を含有するインキと、光学的変化顔料と赤外反射特性又は赤外透過特性を持つ着色顔料を含有するインキとの反射率の差を十分に読み取ることが可能である。
【００４１】
（実施例２）
まず、第１の画像部及び第２の画像部を印刷するためのスクリーン印刷用インキをそれぞれ作製した。配合割合は、下記に示すとおりである。
2004188808.tif 000004
【００４２】
実施例１で用いた第１の画像部用、第２の画像部用の２つのスクリーン版面（６、７）、作製した２つのスクリーンインキを用い、スクリーン印刷を行い、紫外線照射装置で硬化させ、実施例２の印刷物を得た。実施例２の印刷物は第１の画像部（９）及び第２の画像部（１０）からなる合成画像（８）を有する。この実施例２の印刷物（Ｃ２）を垂直方向から、すなわち印刷物に対して真上から印刷物を観察すると、第１の画像部（９）と第２の画像部（１０）を区分けして確認することができなかった。つまり、合成画像（８）のみが確認できた。また、実施例２の印刷物（Ｃ２）を垂直方向から水平方向に傾けて観察した場合に第１の画像部（９）と第２の画像部（１０）とが異なる色彩で変化し、メッセージ画像として確認できた。
【００４３】
実施例２の印刷物（Ｃ２）を赤外領域の光学特性を可視化する装置により観察すると、第１の画像部（９）と第２の画像部（１０）を区分けして識別することができた。
【００４４】
以上、本実施例に基づいて説明したが、本発明はこれに限定されるものでなく、特許請求の範囲記載における技術的思想の範囲内であれば、その他のいろいろな実施形態が考えられる。
【００４５】
【発明の効果】
以上の説明から明らかなように、本発明は、本発明は基材上に、第１の画像部と第２の画像部からなる合成画像を形成すべく、第１の画像部は光学的変化顔料と、赤外反射特性又は赤外透過特性を持つ着色顔料を含有したインキで印刷し、第２の画像部は第１の画像部を印刷するインキに含有する光学的変化顔料と同一の光学的変化顔料と、赤外吸収特性を持つ着色顔料を含有したインキで印刷し、第１の画像部と第２の画像部の色彩が同一になるように色合せしてなる真偽判別可能な印刷物であって、印刷物を垂直方向から観察した場合に第１の画像部と第２の画像部を肉眼で区分けして識別することができないが、印刷物を垂直方向から水平方向に傾けて観察した場合に合成画像の色調が変化することを肉眼で観察することができ、さらに、赤外領域を測定する器具により、第１の画像部と第２の画像部が区分けして識別できる、光学的変化を利用した肉眼での真偽判別及び機械での真偽判別の両方を備える真偽判別可能な印刷物及びその真偽判別方法を得ることができる。
【００４６】
また、本発明は、基材上に、第１の画像部と第２の画像部からなる合成画像を形成すべく、第１の画像部は光学的変化顔料と、赤外反射特性又は赤外透過特性を持つ着色顔料を含有したインキで印刷し、第２の画像部は第１の画像部を印刷するインキに含有する光学的変化顔料と異なる光学的変化顔料と、赤外吸収特性を持つ着色顔料を含有したインキで印刷し、第１の画像部と第２の画像部の色彩が同一になるように色合せしてなる真偽判別可能な印刷物であって、印刷物を垂直方向から観察した場合に第１の画像部と第２の画像部を肉眼で区分けして識別することができないが、印刷物を垂直方向から水平方向に傾けて観察した場合に第１の画像部と第２の画像部との色調が異なって変化し、メッセージ画像として肉眼で観察することができ、さらに、赤外領域を測定する器具により、第１の画像部と第２の画像部が区分けして識別できる、光学的変化を利用した肉眼での真偽判別及び機械での真偽判別の両方を備える真偽判別可能な印刷物及びその真偽判別方法を得ることができる。
【００４７】
以上のことから、肉眼で光学的変化顔料の色彩が変化する効果が確認でき、且つ、簡易的な赤外領域を測定する器具を用い、誰でも容易に機械的な真偽判別をすることができる印刷物となる。よって、本発明は、印刷物は、肉眼での真偽判別効果及び機械での読み取り効果を備えているため、銀行券、株券、有価証券、通行券、カード等の偽造、変造を防止する必要性のある貴重印刷物に適用することができる。
【００４８】
【図面の簡単な説明】
【図１】基材１上に第１の画像部である点画２と、第２の画像部である点画３を示す拡大図である。
【図２】真偽判別可能な印刷物（５Ａ）を垂直方向から観察した場合の図である。
【図３】真偽判別可能な印刷物（５Ａ）を垂直方向から水平方向に傾けて観察した場合の図である。
【図４】真偽判別可能な印刷物（５Ａ）を赤外吸収特性を持つ着色顔料を測定する器具により観察した場合の拡大図である。
【図５】基材（１）上に第１の画像部である点画（２）と、第２の画像部である点画（３）を示す拡大図である。
【図６】真偽判別可能な印刷物（５Ｂ）を垂直方向から観察した場合の図である。
【図７】真偽判別可能な印刷物（５Ｂ）を垂直方向から水平方向に傾けて観察した場合の図である。
【図８】真偽判別可能な印刷物（５Ｂ）を赤外吸収特性を持つ着色顔料を測定する器具により観察した場合の拡大図である。
【図９】本発明の第２の画像部スクリーン版面と第２の画像部スクリーン版面の拡大図を示す。
【図１０】本発明の印刷物（Ｃ１）を示す図である。
【図１１】本発明の本発明の第１の画像部及び第２の画像部を形成する点画、線画、ベタ塗りの説明図である。
【符号の説明】
１  基材
２  点画１
３  点画２
４、８  合成画像
５Ａ、５Ｂ、Ｃ１、Ｃ２  真偽判別可能な印刷物
６、７            スクリーン版面
９  第１の画像部
１０  第２の画像部
【図１】
2004188808.tif 000005
【図２】
2004188808.tif 000006
【図３】
2004188808.tif 000007
【図４】
2004188808.tif 000008
【図５】
2004188808.tif 000009
【図６】
2004188808.tif 000010
【図７】
2004188808.tif 000011
【図８】
2004188808.tif 000012
【図９】
2004188808.tif 000013
【図１０】
2004188808.tif 000014
【図１１】
2004188808.tif 000015